(57)【要約】【課題】  白色マスクが有する、暗いイメージを打破し、衛生マスク本来の機能である、風邪・感冒予防、花粉症の抑制、各種ウイルス、ハウスダスト等からの防御を達成すると共に、趣味嗜好性、ファッション性を向上させ、老弱男女が楽しく着用できる衛生マスクを提供する。【解決手段】  マスク本体１は表面部１１、裏面部１２からなり、ポケット２、吸着部材３、当接片４、耳掛け紐５、６を主な構成部材とし、マスク本体１の表面部１１は、白色又はパステルカラーで印刷され、かつ各種のイラスト１１ｄ等の表示体が多数印刷されている。【選択図】図１
0003121584.tif 000002
【実用新案登録請求の範囲】
【請求項１】
実用性、趣味嗜好性及びファッション性兼備の衛生マスクであって、
メッシュ状シートからなる表面部と裏面部を接合し、両側と底部を縫着して、上部開口、有底のポケット及び耳掛け紐の挿通孔を形成すると共に、前記表面部は、白色、ベージュ、ピンク、オレンジ、ブルー又はイエローのパステルカラーで着色し、かつ、各種図形、絵模様、文字又はそれらを組み合わせた表示体を印刷してなる、マスク本体と、
前記ポケットに着脱自在に収納される絹繊維を主材とするシート状吸着部材と、
前記マスク本体の裏面部に係止具を介して着脱自在に装着される綿繊維、絹繊維又は絹繊維と綿繊維の混紡繊維からなるシート状当接片と、
前記マスク本体の両側挿通孔に挿通され、その上端部及び下端部に縫着される、装飾部材付き白色、ベージュ、ピンク、オレンジ、ブルー又はイエローのパステルカラーで着色された弾性を有する耳掛け紐と、
からなることを特徴とする、衛生マスク。
【請求項２】
前記マスク本体の表面部は、白色、ベージュ、ピンク、オレンジ、ブルー又はイエローのパステルカラーで着色されるとともに、各種形状のワッペン又は立体装飾体を溶着又は貼着したことを特徴とする、請求項１に記載の衛生マスク。
【請求項３】
前記当接片の鼻及び口の当接側には、着用位置確認用の目印が表示されていることを特徴とする、請求項１〜請求項２の何れかに記載の衛生マスク。
【請求項４】
前記耳掛け紐の装飾部材は、挿通孔及び耳掛け部を除いて取り付けられていることを特徴とする、請求項１〜請求項３の何れかに記載の衛生マスク。
【請求項５】
前記係止具が、面ファスナー又はスナップであることを特徴とする、請求項１〜請求項４の何れかに記載の衛生マスク。
【考案の詳細な説明】
【技術分野】
【０００１】
本考案は、衛生マスクに係り、より詳しくは、マスク本体の表面部及び耳掛け紐を着色した、実用性、趣味嗜好性及びファッション性を兼備した衛生マスクに関する。
【背景技術】
【０００２】
衛生マスクは、従来から、風邪・感冒予防、花粉症対策、各種ウィルス、ハウスダスト等塵埃からの防御、鼻腔及び口元の保湿効果等を主な目的として着用され、ガーゼ等の綿繊維又は化学繊維を素材とした無地白色の平面型マスクが主に使用され、近年では不織布等を使用し、密着性を高めた立体型マスクが市販されている。
【０００３】
上記の平面型マスク及び立体型マスクの市販品は、衛生上の観点から清潔さを強調するためほとんどが無地白色であり、そのためファッション性が極めて乏しく、また白色であるために、外部からの汚れがマスク本体の表面部等に付着した際には目立ちやすく、逆に不清潔さを強調する結果ともなっている。さらにマスク着用者＝風邪・感冒等の患者、バイ菌撒布者であるとして、マスク着用者の周辺にいる人々に敬遠される暗いイメージを持たれている。また小児は、マスク着用による息苦しさ、圧迫感等でその着用を拒み、医師又は両親等の強い指示、要請がなければ着用することがない。
【０００４】
特開２０００−１１６８０４に開示された衛生マスクは、ファッション性を向上させるために、放縮処理を施した絹織物より成る多重生地の表面区画に収縮性の小さい刺繍糸で刺繍を施したことを特徴としている。またその日の服装、気分によって、絵模様を取り替えできる嗜好性、ファッション性あるマスクとして、登録実用新案３０８８０５２が開示されている。これは既存の白いガーゼ製の衛生マスクに添付するメッシュ製のシートに、各種の絵柄を印刷した粘着シートを用意し、使用者の所望する絵柄をその都度選択し、その絵柄をマスクに粘着したことを特徴としている。
【特許文献１】特開２０００−１１６８０４号公報
【特許文献２】登録実用新案第３０８８０５２号公報
【考案の開示】
【考案が解決しようとする課題】
【０００５】
しかしながら、特許文献１は、加工工程における刺繍作業は手間がかかり、生産効率が悪いので、コスト高となり、いまだ市販されるには至っていない。また、特許文献２は、その日の服装、気分によって、絵柄をその都度選択して取り替えられるが、粘着シートからの剥離、マスク表面部への粘着作業等が煩瑣で、粘着対象物がガーゼ製の衛生マスクであるから、その交換に際しては、既設の絵柄をガーゼから引き剥がすので、ガーゼ繊維が毛羽だってしまい、次に使用する絵柄の粘着作業が円滑にできないうえに、見映えが悪いという欠点が指摘される。
【０００６】
本考案者は、上記の従来技術に鑑み、鋭意検討を重ねて本考案を完成させたものである。本考案が解決しようとする課題は、従来の白色マスクが有する、暗いイメージを打破することと、衛生マスク本来の機能である、風邪・感冒予防、花粉症による症状の抑制、各種ウイルス、ハウスダスト等からの防御を達成することができ、かつ趣味嗜好性やファッション性を向上させ、老弱男女が楽しく着用できる衛生マスクを提供することにある。
【課題を解決するための手段】
【０００７】
上記の課題を達成するための第１の考案は、実用性、趣味嗜好性及びファッション性兼備の衛生マスクであって、メッシュ状シートからなる表面部と裏面部を接合し、両側と底部を縫着して、上部開口、有底のポケット及び耳掛け紐の挿通孔を形成すると共に、前記表面部は、白色、ベージュ、ピンク、オレンジ、ブルー又はイエローのパステルカラーで着色し、かつ、各種図形、絵模様、文字又はそれらを組み合わせた表示体を印刷してなる、マスク本体と、前記ポケットに着脱自在に収納される絹繊維を主材とするシート状吸着部材と、前記マスク本体の裏面部に係止具を介して着脱自在に装着される綿繊維、絹繊維又は絹繊維と綿繊維の混紡繊維からなるシート状当接片と、前記マスク本体の両側挿通孔に挿通され、その上端部及び下端部に縫着される、装飾部材付き白色、ベージュ、ピンク、オレンジ、ブルー又はイエローのパステルカラーで着色された弾性を有する耳掛け紐と、からなることを特徴としている。
【０００８】
課題を達成するための第２の本考案は、請求項１に記載の考案にあって、前記マスク本体の表面部は、白色、ベージュ、ピンク、オレンジ、ブルー又はイエローのパステルカラーで着色されるとともに、各種形状のワッペン又は立体装飾体を溶着又は貼着したことを特徴としている。
【０００９】
課題を達成するための第３の本考案は、請求項１〜請求項２の何れかに記載の考案にあって、前記当接片の鼻及び口の当接側には、着用位置確認用の目印が表示されていることを特徴としている。
【００１０】
課題を達成するための第４の本考案は、請求項１〜請求項３の何れかに記載の考案にあって、前記耳掛け紐の装飾部材は、挿通孔及び耳掛け部を除いて取り付けられていることを特徴としている。
【００１１】
課題を達成するための第５の本考案は、請求項１〜請求項４の何れかに記載の考案にあって、前記係止具が、面ファスナー又はスナップであることを特徴としている。
【考案の効果】
【００１２】
本考案に係る、衛生マスクは、上記の構成になるから以下の効果を奏する。請求項１に記載する第１の考案によれば、マスク本体には上部開口、有底のポケットが形成され、該ポケットには、風邪・感冒等のウイルス、花粉、気管炎・喘息等の原因となるハウスダスト、粉塵、排気ガス（窒素酸化物）等の捕集効果、抗菌作用にすぐれている絹繊維を主材とする吸着部材を着装し、適宜これを取り出して洗浄し、繰り返し使用が可能であり、また、マスク本体の裏面部に係止具を介して着脱自在に装着されている、鼻及び口への当接片は、吸湿性、放散性の高い綿繊維、各種ウイルス、粉塵等の捕集効果、防臭、抗菌作用にすぐれた絹繊維を主材とし、係止具を分離して洗濯機等で洗浄し、繰り返し使用が可能であるから、極めて衛生的かつ、実用性のある衛生マスクを提供することができる。また、マスク本体の表面部及び耳掛け紐は、パステルカラーで着色され、かつ各種図形、絵模様、文字又はそれらを組み合わせた表示体が印刷され、マスク着用者が、例えば女性であれば、個々の趣味嗜好性又はファッション感覚で、その日の着衣等に適切なカラー、デザイン等を選択することができ、また小児は、好みのイラスト、キャラクター等が表示された衛生マスクを購入し、楽しく着用することができ、さらに高齢者は、精神的なやすらぎが得られるような絵模様、例えば風景画、建築物等が印刷されたマスクを購入、着用することができる。
【００１３】
請求項２に記載する第２の考案によれば、マスク本体の表面部は、各種のパステルカラーで着色されるとともに、各種形状のワッペン又は立体装飾体を溶着又は貼着しているので、第１の考案と同様に趣味嗜好性、ファッション感覚を充足することができる。
【００１４】
請求項３に記載する第３の考案によれば、当接片の鼻及び口の当接側には、着用位置確認用の目印が表示されているので、当接片の着脱を繰り返しても、配設位置を間違えることがないので不快感を抱くことなく、継続して衛生マスクの使用ができる。
【００１５】
請求項４に記載する第４の考案によれば、耳掛け紐の装飾部材により、よりファッション性を高めることができ、また装飾部材は耳掛け部を除いて取り付けられているので、耳掛け作業が円滑にできる。
【００１６】
請求項５に記載する第５の考案によれば、当接片とマスク本体裏面部の係止具は、面ファスナー又はスナップであるから、当接片の着脱は簡便、容易で吸収部材と共に、洗濯機等で洗浄し、常に清潔さを保持できる。
【考案を実施するための最良の形態】
【００１７】
以下、本考案に係る、衛生マスクの好適な実施形態について図面を参照しながら説明する。図１は、本考案に係る、衛生マスクの正面図、図２は、同背面図、図３は、図１における３−３線拡大断面図、図４は、他の実施形態を示す正面図である。
【００１８】
図１〜図３に示す本考案に係る衛生マスクは、マスク本体１、表面部１１、裏面部１２、ポケット２、吸着部材３、当接片４、耳掛け紐５、６を主な構成部材とし、マスク本体１の表面部１１及び裏面部１２は、例えばナイロン、ポリエステル、レーヨン等の化学繊維または綿繊維からなる１〜複数枚のメッシュ状シートを、縦寸約９ｃｍ〜横約１３ｃｍの矩形状に裁断して接合してなり、その左右両側約２ｃｍの部位をミシン糸等で縦方向に縫着１１ａ、１１ｂすると共に、底部約５ｍｍの部位を横方向に縫着１１ｃしてポケット２が形成され、これによりポケット２には、開口部２ａと底２ｂが形成される。またマスク本体１の左右両側には、耳掛け紐５、６を挿通するための挿通孔１３、１４が形成される。またマスク本体１の表面部１１は、白色又は淡い中間色、いわゆるパステルカラーの印刷がなされ、かつ図１に示す各種のイラスト１１ｄ等の表示体が多数印刷されている。
【００１９】
吸着部材３は、絹繊維を主材とするシート体で、ポケット２内に容易に着脱可能な寸法、例えば縦寸約８ｃｍ〜横寸約８ｃｍの正方形状に裁断し、折り畳むか重合してポケット２内に収納して着用される。また吸着部材３の表裏面には、花粉及び各種ウイルス等の吸着性物質、例えば活性炭粉末、セラミック粉末等を塗布して、花粉及び各種ウイルス等の捕集効果を高めることもできる。そして吸着部材３は、衛生マスクの使用頻度、状況等を考慮し適宜、ポケット２から取り出し、温水等でもみ洗い、乾燥を行って再びポケット２内に収納して繰り返し着用される。
【００２０】
当接片４は、綿繊維、絹繊維又は絹繊維と綿繊維の混紡繊維を主材とし、マスク本体１の裏面部１２に係止具４１〜４４、例えばマジックテープ（登録商標、クラレ（株）製）等の面ファスナー又はスナップ等を介して装着されている。図２に示す矢印４５、４６は、当接片４を上下に逆装着することを防止するための目印で、△目印４７等を矢印４５、４６の中間に表示することもできる。また、係止具４１、４２のみを裏面部１２に取り付けて、係止具４３、４４を省略することもできる。
【００２１】
耳掛け紐５、６は、ウーリー糸ゴム等の弾性紐が好適に使用され、耳掛け紐５、６全体は、マスク本体１の表面部１１と同色のパステルカラーが印刷されており、該耳掛け紐５、６は、マスク本体１に形成された挿通孔１３、１４内にそれぞれ挿通された後、ビーズ等の装飾部材５１、５２が、挿通孔１３、１４内の部分及び耳掛け部５３、５４を除いて取り付けられる。
【００２２】
図４は、本考案に係る、衛生マスクにおける他の実施形態を示すもので、マスク本体１の表面部１１は、白色又は淡い中間色、いわゆるパステルカラーの印刷がなされると共に、ワッペン１１ｅがヒートシーラー等により溶着され、また立体装飾体１１ｆが接着剤を介して貼着されている。なお、ポケット２、吸着部材３、当接片４、耳掛け紐５、６、装飾部材５１、５２及び挿通孔１３、１４等は、図１〜図３に示す衛生マスクと同一素材、同一形状である。
【図面の簡単な説明】
【００２３】
【図１】本考案に係る、衛生マスクの正面図である。
【図２】同背面図である。
【図３】図１における３−３線拡大断面図である。
【図４】他の実施形態を示す正面図である。
【符号の説明】
【００２４】
１                            マスク本体
１１                          表面部
１２                          裏面部
２                            ポケット
３                            吸着部材
４                            当接片
５、６                        耳掛け紐
１１ａ、１１ｂ                縫着
１１ｃ                        縫着
１１ｄ                        表示体
１１ｅ                        ワッペン
１１ｆ                        立体装飾体
１３、１４                    挿通孔
４１、４２、４３、４４        係止具
４５、４６、４７              目印
５１、５２                    装飾部材
【図１】
0003121584.tif 000003
【図２】
0003121584.tif 000004
【図３】
0003121584.tif 000005
【図４】
0003121584.tif 000006